(57)【要約】【課題】  本発明は、アナログ放送廃止時に、アナログ放送に対して行われた予約設定をデジタル放送に対する予約設定として継承させることが可能なアナログ・デジタル放送受信機を提供することを目的とする。【解決手段】本発明によるアナログ・デジタル放送受信機１は、予約情報を解析し、予約情報から予約番組を推定する予約内容解析部８と、チャンネルスキャンされたデジタル放送から番組情報を抽出し、番組情報と予約内容解析部８にて推定された予約番組とが一致するか否かを解析する放送内容解析部１２と、番組の予約設定を行う予約実行部９とを備え、予約実行部９は、放送内容解析部８にて一致の解析結果が得られたとき、当該一致に係る番組情報を有する番組の予約設定を行うことを特徴とする。【選択図】図１
2010219987.tif 000002
【特許請求の範囲】
【請求項１】
アナログ放送の廃止を検知するアナログ放送廃止検知部と、
前記アナログ放送廃止検知部による前記検知に基づいて、デジタル放送のチャンネルスキャンを実行するデジタル放送チャンネルスキャン実行部と、
予約情報を解析し、前記予約情報から予約番組を推定する予約内容解析部と、
前記チャンネルスキャンされた前記デジタル放送から番組情報を抽出し、前記番組情報と前記予約内容解析部にて推定された前記予約番組とが一致するか否かを解析する放送内容解析部と、
番組の予約設定を行う予約実行部と、
を備え、
前記予約実行部は、前記放送内容解析部にて一致の解析結果が得られたとき、当該一致に係る前記番組情報を有する番組の予約設定を行うことを特徴とする、アナログ・デジタル放送受信機。
【請求項２】
前記デジタル放送チャンネルスキャン実行部は、前記アナログ放送廃止検知部による前記検知に基づいて実行されるデジタル放送のチャンネルスキャンに替えて、手動による外部指示に基づいてデジタル放送のチャンネルスキャンを実行することを特徴とする、請求項１に記載のアナログ・デジタル放送受信機。
【請求項３】
前記予約実行部は、前記放送内容解析部での前記一致に係る前記番組情報と同一の番組が既に予約設定されている場合は、前記番組情報を有する番組の予約設定を行わないことを特徴とする、請求項１に記載のアナログ・デジタル放送受信機。
【請求項４】
映像を表示する表示部をさらに備え、
前記表示部は、前記放送内容解析部での前記一致に係る前記番組情報を有する番組の予約設定が行われたことを表示することを特徴とする、請求項１に記載のアナログ・デジタル放送受信機。
【請求項５】
メールを送信するメール機能部をさらに備え、
前記メール機能部は、前記放送内容解析部での前記一致に係る前記番組情報を有する番組の予約設定が行われたことをメールによって前記表示部上で通知することを特徴とする、請求項４に記載のアナログ・デジタル放送受信機。
【請求項６】
前記アナログ放送廃止検知部によってアナログ放送の廃止が検知されず、かつ、前記デジタル放送チャンネルスキャン実行部によってデジタル放送のチャンネルスキャンが実行されている場合において、
前記予約実行部は、前記放送内容解析部にて一致の解析結果が得られたとき、外部からの指示に基づいて当該一致に係る前記番組情報を有する番組の予約設定を行うことが可能であることを特徴とする、請求項１に記載のアナログ・デジタル放送受信機。
【請求項７】
映像を表示する表示部をさらに備え、
前記表示部は、前記放送内容解析部での前記一致に係る前記番組情報を有する番組の予約設定が行われたことを表示することを特徴とする、請求項６に記載のアナログ・デジタル放送受信機。
【請求項８】
メールを送信するメール機能部をさらに備え、
前記メール機能部は、前記放送内容解析部での前記一致に係る前記番組情報を有する番組の予約設定が行われたことをメールによって前記表示部上で通知することを特徴とする、請求項７に記載のアナログ・デジタル放送受信機。
【発明の詳細な説明】
【技術分野】
【０００１】
本発明は、アナログ放送およびデジタル放送の両方の受信が可能なアナログ・デジタル放送受信機に関する。
【背景技術】
【０００２】
現在、地上アナログ放送および地上デジタル放送の両方が放送されており、販売されている多くのテレビやＨＤＤ（Ｈａｒｄ  Ｄｉｓｋ  Ｄｒｉｖｅ）レコーダ等の受信機には、地上アナログ放送用および地上デジタル放送用の両方のチューナが搭載されている。しかし、地上アナログ放送は２０１１年７月までに廃止されることが決定しているため、従来の上記受信機では、地上アナログ放送が廃止されると地上デジタル放送のチャンネルスキャンを実施しなければ選局できる放送がなくなったり、選局できる放送を取り損ねてしまうことがあった。
【０００３】
このような問題の対策として、地上アナログ放送の廃止を検知して、その検知をトリガとして地上デジタル放送のチャンネルスキャンを自動で行うことによって、選局できる放送がなくなったり、選局できる放送を取り損ねてしまう状態を回避する技術が知られている（例えば、特許文献１参照）。
【先行技術文献】
【特許文献】
【０００４】
【特許文献１】特開２００７−２９５４７４号公報
【発明の概要】
【発明が解決しようとする課題】
【０００５】
しかし、特許文献１では、地上アナログ放送に対して視聴予約や録画予約などの予約設定が行われていた場合において、地上アナログ放送の廃止後は、予約設定が実行されなかったり、予約設定が実行されたとしても既に無信号となった放送を視聴あるいは録画してしまうという問題がある。
【０００６】
本発明は、これらの問題を解決するためになされたものであり、アナログ放送廃止時に、アナログ放送に対して行われた予約設定をデジタル放送に対する予約設定として継承させることが可能なアナログ・デジタル放送受信機を提供することを目的とする。
【課題を解決するための手段】
【０００７】
上記の課題を解決するために、本発明によるアナログ・デジタル放送受信機は、アナログ放送の廃止を検知するアナログ放送廃止検知部と、アナログ放送廃止検知部による検知に基づいて、デジタル放送のチャンネルスキャンを実行するデジタル放送チャンネルスキャン実行部と、予約情報を解析し、予約情報から予約番組を推定する予約内容解析部と、チャンネルスキャンされたデジタル放送から番組情報を抽出し、番組情報と予約内容解析部にて推定された予約番組とが一致するか否かを解析する放送内容解析部と、番組の予約設定を行う予約実行部とを備え、予約実行部は、放送内容解析部にて一致の解析結果が得られたとき、当該一致に係る番組情報を有する番組の予約設定を行うことを特徴とする。
【発明の効果】
【０００８】
本発明によると、予約情報を解析し、予約情報から予約番組を推定する予約内容解析部と、チャンネルスキャンされたデジタル放送から番組情報を抽出し、番組情報と予約内容解析部にて推定された予約番組とが一致するか否かを解析する放送内容解析部と、番組の予約設定を行う予約実行部とを備え、予約実行部は、放送内容解析部にて一致の解析結果が得られたとき、当該一致に係る番組情報を有する番組の予約設定を行うため、アナログ放送廃止時に、アナログ放送に対して行われた予約設定をデジタル放送に対する予約設定として継承させることが可能となる。
【図面の簡単な説明】
【０００９】
【図１】本発明の実施形態によるアナログ・デジタル放送受信機のブロック図である。
【図２】本発明の実施形態１によるアナログ・デジタル放送受信機の動作のフローチャートである。
【図３】本発明の実施形態２によるアナログ・デジタル放送受信機の動作のフローチャートである。
【発明を実施するための形態】
【００１０】
本発明の実施形態について、図面を用いて以下に説明する。
【００１１】
〈実施形態１〉
図１は、本発明の実施形態によるアナログ・デジタル放送受信機１のブロック図である。図１に示すように、本実施形態によるアナログ・デジタル放送受信機１は、アナログ放送受信処理部３、デジタル放送受信処理部４、コントローラ５、通信部６、およびユーザ通知部７を備えており、外部に映像を表示する液晶パネルやプラズマパネルなどの表示部２をさらに備えている。コントローラ５は、ＣＰＵなどで構成され、アナログ・デジタル放送受信機１の各種制御、調整および設定に必要な機能を実行している。また、アナログ放送受信処理部３およびデジタル放送受信処理部４には、予約内容解析部８および予約実行部９が共通に設けられている。なお、本実施形態では、予約内容解析部８および予約実行部９がアナログ放送受信処理部３およびデジタル放送受信処理部４に共通に設けられているが、アナログ放送受信処理部３とデジタル放送受信処理部４の各々に設けられてもよい。また、本実施形態では、表示部２がアナログ・デジタル放送受信機１とは別の機器として構成されているが、アナログ・デジタル放送受信機１に内蔵されてもよい。
【００１２】
アナログ放送受信処理部３は、アナログチューナや信号を増幅および復調する回路（図示せず）などの他に、アナログ放送の廃止を検知するアナログ放送廃止検知部１０を備えている。
【００１３】
デジタル放送受信処理部４は、デジタルチューナや信号を増幅および復調する回路（図示せず）などの他に、アナログ放送廃止検知部１０による検知に基づいて、デジタル放送のチャンネルスキャンを実行するデジタル放送チャンネルスキャン実行部１１と、チャンネルスキャンされたデジタル放送から番組情報を抽出し、番組情報と予約内容解析部８にて推定された予約番組とが一致するか否かを解析する放送内容解析部１２と、メールを送受信するメール機能部１３とを備えている。メール機能部１３は、放送波に載せられて放送局から送信されてきたお知らせなどのメールを受信し、受信したメールの内容を表示部２に表示されたメニュー画面にて確認することができる機能を有する。同様に、予約録画の失敗など、アナログ・デジタル放送受信機１からユーザに対してメッセージを送信する場合は、アナログ・デジタル放送受信機１からメールとして表示部２に送信され、メールのメッセージを表示部２に表示されたメニュー画面にて確認することができる。なお、本実施形態１におけるメール機能は周知の技術であるため、ここでは詳細な説明を省略する。
【００１４】
また、アナログ・デジタル放送受信機１は、受信機スイッチ１４、リモコン１５、アンテナ１６、番組情報蓄積サーバー１７を備えている。受信機スイッチ１４は、受信に必要な設定などをユーザによって制御可能であり、リモコン１５は、受信機スイッチ１４と同様な機能を有しており、必要な設定を遠隔操作によって制御可能となっている。受信機スイッチ１４またはリモコン１５から送信された操作信号は、アナログ・デジタル放送受信機１のコントローラ５に入力され、各種制御、調整および設定が行われる。
【００１５】
アンテナ１６によって受信した放送信号は、アナログ放送受信処理部３とデジタル放送受信処理部４の各々に入力される。また、番組情報蓄積サーバー１７は、番組情報の入手元として、電話回線やＡＤＳＬ（ＡＳＹＭＭＥＴＲＩＣ  ＤＩＧＩＴＡＬ  ＳＵＢＳＣＲＩＢＥＲ  ＬＩＮＥ）などの通信網を介して接続される放送局やテレビ関連出版社などに設置されている番組情報が蓄積されているサーバーである。
【００１６】
図１に示すように、アンテナ１６によって受信されたアナログ放送は、アナログ放送受信処理部３にて映像と音声の分離などの処理が行われた後に表示部２に映像表示される。同様に、アンテナ１６によって受信されたデジタル放送は、デジタル放送受信処理部４にて復号された後に表示部２に映像表示される。このとき、デジタル放送受信処理部４では、受信したデジタル放送からＥＰＧ（Ｅｌｅｃｔｒｏｎｉｃ  Ｐｒｏｇｒａｍ  Ｇｕｉｄｅ：電子番組表）などに利用される番組情報が取り出される。
【００１７】
通信部６は、電話回線やＡＤＳＬなどの通信網を介して番組情報蓄積サーバー１７からアナログ放送またはデジタル放送の番組情報を取得する機能を有する。また、ユーザ通知部７は、視聴者であるユーザに対してアナログ・デジタル放送受信機１から送信されてきたメッセージを表示部２に表示し、または、メール機能部１３を利用してメールによってメッセージをユーザに通知する機能を有する。
【００１８】
予約内容解析部８は、ユーザによる予約情報（例えば、予約した放送局や日時など）を解析し、予約された対象番組を推定している。すなわち、予約情報を解析し、予約情報から予約番組を推定している。デジタル放送であれば、放送波から番組情報を取り出すことが可能であり、また、アナログ放送であっても、Ｇガイドを用いた予約であればＧガイド情報から番組名や出演者などの情報を取得することができるため、予約の対象番組の推定が容易となる。また、このような方法以外でも、通信部６を介して番組情報蓄積サーバー１４からより詳細な番組情報を取得することにより、予約の対象番組を推定することができる。
【００１９】
予約実行部９は、アナログ放送やデジタル放送の予約（例えば、時間や放送局を指定した予約、番組を指定した予約など）を設定する。すなわち、番組の予約設定を行っている。同一の番組または時間に対して、既に別の予約が実行されていた場合にはその旨を判別した後に、重複を回避するように予約設定を拒絶し、または、ユーザ通知部７を介して警告メッセージを表示部２に表示するなどしてユーザに通知する。
【００２０】
アナログ放送廃止検知部１０は、従来のアナログ放送廃止検知方法（例えば、特許文献１の３頁３６〜４１行目に記載）によってアナログ放送の廃止を検知する。また、デジタル放送チャンネルスキャン実行部１１は、従来のチャンネルスキャン方法（例えば、特許文献１の３頁４２〜４頁１行目に記載）によってデジタル放送のチャンネルスキャンを実行する。放送内容解析部１２は、デジタル放送から番組情報を抽出し解析している。番組の抽出・解析にあたり、放送波に載っている番組情報だけでなく、通信部６を介して番組情報蓄積サーバー１７から番組情報を取得することも可能である。
【００２１】
なお、本発明の実施形態では、地上アナログ放送および地上デジタル放送について説明するが、本実施形態におけるアナログ放送やデジタル放送に限らない。例えば、廃止されるアナログ放送がＢＳ（Ｂｒｏａｄｃａｓｔ  Ｓａｔｅｌｌｉｔｅ）アナログ放送である場合もあり、また、アナログ放送に対して予約設定した番組について地上デジタル放送で合致する番組が検出されなかったとしてもＢＳデジタル放送で合致する番組が検出されれば、ＢＳデジタル放送に対して予約設定が実行される場合もある。
【００２２】
図２は、本実施形態１によるアナログ・デジタル放送受信機１の動作のフローチャートである。図２では、地上アナログ放送廃止後に、地上アナログ放送に対して行われた予約設定を地上デジタル放送に対する予約設定として継承させる場合についての動作を示したものである。
【００２３】
図２に示すように、ステップＳ２０１では、初期条件として、地上アナログ放送の廃止前にユーザによって地上アナログ放送に対する予約設定が実行されているものとし、ステップＳ２０２に移行する。ステップＳ２０２では、アナログ放送受信処理部３のアナログ放送廃止検知部１０が定常的にアナログ放送の廃止を検知しており、検知されるまでは地上アナログ放送廃止前であると判断される（ステップＳ２０３）。
【００２４】
ステップＳ２０２において、地上アナログ放送の廃止が検知されるとステップＳ２０４に移行する。ステップＳ２０４では、デジタル放送受信処理部４のデジタル放送チャンネルスキャン実行部１１によってチャンネルスキャンを実行してデジタル放送の受信を可能とし、ステップＳ２０５に移行する。なお、ステップＳ２０２からステップＳ２０４までの動作は、従来の方法（例えば、特許文献１）によって自動で地上デジタル放送のチャンネルスキャンを実行するが、ユーザの手動による地上デジタル放送のチャンネルスキャンであってもよい。このとき、チャンネルスキャン実行部１１で行われるチャンネルスキャンは、ステップＳ２０２にて地上アナログ放送が廃止された旨をユーザに通知した後に、ユーザが手動でチャンネルスキャンを行ってもよく、また、ステップＳ２０２からステップＳ２０４までの動作とは別に、ユーザが手動でチャンネルスキャンを行ってもよい。すなわち、デジタル放送チャンネルスキャン実行部１１は、アナログ放送廃止検知部１０による検知に基づいて実行されるデジタル放送のチャンネルスキャンに替えて、手動による外部指示に基づいてデジタル放送のチャンネルスキャンを実行してもよい。
【００２５】
次に、ステップＳ２０５において、予約内容解析部８によって地上アナログ放送に対する予約設定が行われているか否かの確認を行う。ここで、地上アナログ放送に対して予約設定が行われていなければ終了し、予約設定が行われていればステップＳ２０６に移行する。
【００２６】
ステップＳ２０６において、予約内容解析部８は、地上アナログ放送に対して予約設定された番組について、予約設定された放送局、曜日、開始・終了時間などの情報を元に通信部６を介して番組情報蓄積サーバー１７から詳細な番組情報を入手したり、Ｇガイドからの予約であればＧガイドから取得される番組情報などから推定し、ステップＳ２０７に移行する。
【００２７】
ステップＳ２０７では、デジタル放送受信処理部４の放送内容解析部１２によってデジタル放送から番組情報が抽出され、ステップＳ２０６にて推定された番組と合致する番組があるか否かの解析を行う。このとき、通信部６を介して番組情報蓄積サーバー１７から詳細な番組情報を取得して解析することも可能である。
【００２８】
ステップＳ２０８において、予約内容解析部８は、ステップＳ２０７での解析結果から、地上アナログ放送に対して予約設定した番組と一致する番組が地上デジタル放送から検出されたか否かを判定する。一致する番組が検出されなかった場合、予約実行部９は地上アナログ放送に対して設定された予約を取り消した旨のメッセージを、ユーザ通知部７によってユーザに通知して（ステップＳ２０９）終了する。一方、一致する番組が検出された場合は、ステップＳ２１０に移行する。
【００２９】
ステップＳ２１０において、予約実行部９は、ステップＳ２０８にて検出された地上デジタル放送の番組がユーザによって既に予約が設定されているか否かの判定を行う。既に予約が設定されている場合は終了し、予約が設定されていない場合はステップＳ２１１にて地上デジタル放送に対する予約の設定を行う。すなわち、予約実行部９は、放送内容解析部１２での一致に係る番組情報を有する番組の予約設定を行う。また、予約実行部９は、放送内容解析部１２での一致に係る番組情報と同一の番組が既に予約設定されている場合は、番組情報を有する番組の予約設定を行わない。
【００３０】
ステップＳ２１１にて予約の設定を行った後に、ステップＳ２１２では、地上アナログ放送に対して予約設定した番組を当該番組と一致する地上デジタル放送に対する予約設定として継承した旨のメッセージを、ユーザ通知部７によってユーザに通知して終了する。
【００３１】
なお、図２において、ステップＳ２１２にて通知を受けたユーザが、その予約の実行をキャンセルするか否かを選択できるようにしてもよい。また、ステップＳ２０９、ステップＳ２１２におけるユーザへの通知方法としては、表示部２にて放送内容解析部１２での一致に係る番組情報を有する番組の予約設定が行われたことを表示してもよく、メール機能部１３を用いて放送内容解析部１２での一致に係る番組情報を有する番組予約設定が行われたことをメールによって表示部２上で通知してもよい。さらに、ステップＳ２０１、ステップＳ２０３は、それぞれの状態をステップと称しているだけであり、判定や検知を行うステップではない。
【００３２】
以上のことから、アナログ放送廃止時に、アナログ放送に対して行われた予約設定をデジタル放送に対する予約設定として継承させることが可能となる。
【００３３】
〈実施形態２〉
本発明の実施形態２は、地上アナログ放送の廃止前において、地上アナログ放送に対して行われた予約設定の番組情報と一致する地上デジタル放送の番組を予め検出し、一致する地上デジタル放送番組が検出された場合にその旨を通知して、デジタル放送に対する予約設定に切り替えるか否かの選択が可能であることを特徴としている。その他の構成および動作は、実施形態１と同様であるため、ここでは説明を省略する。
【００３４】
図３は、本実施形態２によるアナログ・デジタル放送受信機１の動作のフローチャートである。図３に示すように、ステップＳ３０１において、ユーザによって地上アナログ放送に対する予約設定が行われると、ステップＳ３０２では、予約内容解析部８が地上アナログ放送に対して予約設定された番組について、予約設定された放送局、曜日、開始・終了時間などの情報を元に通信部６を介して番組情報蓄積サーバー１７から詳細な番組情報を入手したり、Ｇガイドからの予約であればＧガイドから取得される番組情報などから推定し、ステップＳ３０３に移行する。
【００３５】
ステップＳ３０３では、デジタル放送受信処理部４の放送内容解析部１２によってデジタル放送から番組情報が抽出され、ステップＳ３０２にて推定された番組と合致する番組があるか否かの解析を行う。このとき、通信部６を介して番組情報蓄積サーバー１７から詳細な番組情報を取得して解析することも可能である。なお、Ｓ３０３において、デジタル放送チャンネルスキャン実行部１１によって地上デジタル放送のチャンネルスキャンが行われているものとする。
【００３６】
ステップＳ３０４において、予約内容解析部８は、ステップＳ３０３での解析結果から、地上アナログ放送に対して予約設定した番組と一致する番組が地上デジタル放送から検出されたか否かを判定する。一致する番組が検出されなかった場合は、ステップＳ３０７に移行する。一方、一致する番組が検出された場合は、ステップＳ３０５において、地上アナログ放送に対して予約設定した番組と一致する番組が地上デジタル放送から検出された旨とともに、地上アナログ放送に対する予約設定のままでよいのか、または、地上デジタル放送に対する予約設定に切り替えるのか選択する旨のメッセージを、ユーザ通知部７によってユーザに通知し、ステップＳ３０６に移行する。
【００３７】
ステップＳ３０６において、ユーザはステップＳ３０５での通知に対して、受信機スイッチ１４またはリモコン１５を操作して判定を行う。地上デジタル放送に対する予約設定への切り替えが選択された場合はステップＳ３１４に移行し、地上アナログ放送に対する予約設定のままでよい場合はステップＳ３０７に移行する。すなわち、予約実行部９は、放送内容解析部１２にて一致の解析結果が得られたとき、外部からの指示に基づいて当該一致に係る番組情報を有する番組の予約設定を行うことが可能となる。
【００３８】
ステップＳ３０７では、アナログ放送受信処理部３のアナログ放送廃止検知部１０が定常的にアナログ放送の廃止を検知しており、検知されるまでは地上アナログ放送廃止前であると判断される（ステップＳ３０８）。
【００３９】
ステップＳ３０７において、地上アナログ放送の廃止が検知されるとステップＳ３０９に移行する。ステップＳ３０９では、デジタル放送受信処理部４のデジタル放送チャンネルスキャン実行部１１によってチャンネルスキャンを実行してデジタル放送の受信を可能とし、ステップＳ３１０に移行する。なお、ステップＳ３０９にて実行されるチャンネルスキャンは、地上アナログ放送の廃止に合わせて、ステップＳ３０３にて実行されたチャンネルスキャン以降に新たに放送開始している地上デジタル放送を確実に受信するために実行されている。
【００４０】
ステップＳ３１０では、デジタル放送受信処理部４の放送内容解析部１２によってデジタル放送から番組情報が抽出され、ステップＳ３０２にて推定された番組と合致する番組があるか否かの解析を行う。
【００４１】
なお、ステップＳ３０９とステップＳ３１０との間において、図２にて示したステップＳ２０５と同様に地上アナログ放送に対する予約設定が行われているか否かの再確認を行うが、図３では、ステップＳ３０１における予約設定が残っているものとして図示を省略している。
【００４２】
ステップＳ３１１において、予約内容解析部８は、ステップＳ３１０での解析結果から、地上アナログ放送に対して予約設定した番組と一致する番組が地上デジタル放送から検出されたか否かを判定する。一致する番組が検出されなかった場合、予約実行部９は地上アナログ放送に対して設定された予約を取り消した旨のメッセージを、ユーザ通知部７によってユーザに通知して（ステップＳ３１２）終了する。一方、一致する番組が検出された場合は、ステップＳ３１３に移行する。
【００４３】
ステップＳ３１３において、予約実行部９は、ステップＳ３１１にて検出された地上デジタル放送の番組がユーザによって既に予約が設定されているか否かの判定を行う。既に予約が設定されている場合は終了し、予約が設定されていない場合はステップＳ３１４にて地上デジタル放送に対する予約の設定を行う。
【００４４】
ステップＳ３１４にて予約の設定を行った後に、ステップＳ３１５では、地上アナログ放送に対して予約設定した番組を当該番組と一致する地上デジタル放送に対する予約設定として継承した旨のメッセージを、ユーザ通知部７によってユーザに通知して終了する。
【００４５】
なお、ステップＳ３０５、ステップＳ３１２、ステップＳ３１５におけるユーザへの通知方法としては、表示部２にて放送内容解析部１２での一致に係る番組情報を有する番組の予約設定が行われたことを表示してもよく、メール機能部１３を用いて放送内容解析部１２での一致に係る番組情報を有する番組予約設定が行われたことをメールによって表示部２上で通知してもよい。さらに、ステップＳ３０８は、その状態をステップと称しているだけであり、判定や検知を行うステップではない。
【００４６】
以上のことから、地上アナログ放送の廃止前において、地上アナログ放送に対して行われた予約設定の番組情報と一致する地上デジタル放送の番組を予め検出し、一致する地上デジタル放送番組が検出された場合にその旨を通知して、デジタル放送に対する予約設定に切り替えるか否かを選択可能であり、また、アナログ放送廃止時には、アナログ放送に対して行われた予約設定をデジタル放送に対する予約設定として継承させることが可能となる。
【産業上の利用可能性】
【００４７】
本発明の活用例といて、アナログ放送とデジタル放送との両方を受信でき、予約（例えば、視聴予約や録画予約）機能を有するテレビ、ＤＶＤ（Ｄｉｇｉｔａｌ  Ｖｅｒｓａｔｉｌｅ  Ｄｉｓｋ）レコーダ、ＨＤＤレコーダ、あるいはセットトップボックス（Ｓｅｔ  Ｔｏｐ  Ｂｏｘ：ＳＴＢ）に適用できる。
【符号の説明】
【００４８】
１  アナログ・デジタル放送受信機、２  表示部、３  アナログ放送受信処理部、４  デジタル放送受信処理部、５  コントローラ、６  通信部、７  ユーザ通知部、８  予約内容解析部、９  予約実行部、１０  アナログ放送廃止検知部、１１  デジタル放送チャンネルスキャン実行部、１２  放送内容解析部、１３  メール機能部、１４  受信機スイッチ、１５  リモコン、１６  アンテナ、１７  番組情報蓄積サーバー。
【図１】
2010219987.tif 000003
【図２】
2010219987.tif 000004
【図３】
2010219987.tif 000005